(57)【要約】      （修正有）【課題】キャリーバッグのハンドルに掛け止めた小物などのズレ止めができるようにするとともに、ハンドルを下げたときにもバッグ本体側に適正に収めることができるようにすることを課題とし、利用勝手のよいキャリーバッグを提供する。【解決手段】キャリーバッグハンドルの上面形状に応じて変形可能な取付板６１に、キャリーバッグハンドルの上面に取り付けるための取付手段６２を設けるとともに、取付板６１の上面は上方に凸の係止手段6０を設けたハンドル用のストッパー６であり、取付板６１には、係止手段６０側に向けて取付板上面からの上端位置が漸次高くなる隆起部６３を設け、その隆起部６３を係止手段６０に対して連続、または不連続とした。【選択図】図３
0003175345.tif 000002
【実用新案登録請求の範囲】
【請求項１】
キャリーバッグハンドルの上面形状に応じて変形可能な取付板に、該取付板をキャリーバッグハンドルの上面に取り付ける取付手段を有するとともに、前記取付板の上面には上方に凸の係止手段が設けられていて、前記取付手段によるキャリーバッグハンドルへの取付により、キャリーバッグハンドルへの掛け止め物のズレ止めを可能にするキャリーバッグハンドル用のストッパーであって、
前記取付板には、係止手段側に向けて取付板上面からの上端位置が漸次高くなる隆起部が設けられていて、隆起部は、係止手段に対して連続、または不連続とされていることを特徴とするキャリーバッグハンドル用ストッパー。
【請求項２】
上記取付手段は、接着剤であり、この接着剤からなる取付手段が取付板下面に設けられている請求項１に記載のキャリーバッグハンドル用ストッパー。
【請求項３】
上記取付手段は、取付板におけるハンドル長さ方向に沿う両側部それぞれに設けられた面ファスナであり、キャリーバッグハンドルに巻き付けた面ファスナの重ね合わせ部分が相互に離接可能としている請求項１に記載のキャリーバッグハンドル用ストッパー。
【請求項４】
上記取付手段は、取付板におけるハンドル長さ方向に沿う一方の側部に設けられた係止ボスのある係止体と、取付板のもう一方の側部に設けられた複数の孔を有するベルトとからなり、キャリーバッグハンドルに巻き付けた前記ベルトの孔が前記係止体の係止ボスに係脱可能に係止する請求項１に記載のキャリーバッグハンドル用ストッパー。
【考案の詳細な説明】
【技術分野】
【０００１】
本考案はキャリーバッグのハンドルに掛け止めたベルトなどのズレ止めを行なうためのストッパーに関するものである。
【背景技術】
【０００２】
従来からキャリーバッグは、手掛けする把手とは別体として伸縮可能なステーを介してハンドルがバッグ本体に取り付けられている。必要時にはステーを引き伸ばすようにしてハンドルをバッグ本体から引き上げ、バッグ本体にある把手で手提げせずに前記ハンドルに手を掛けてバッグ本体を曳くことができる構造を備えている。そして、曳く際にステーの長さが変化しないようにするためや、バッグ本体のキャスター及び接地座のある部分を下部としてそのバッグ本体を立てた際に不用意にステーが縮んでハンドルが下がるということが生じないようにするために、ハンドル内部からステー内部に掛けてステー長さを変更可能に維持するロック機構を組み入れるとともに、ハンドル中央の上面に配した操作ボタンを押すことで前記ロック機構によるロックを解除できるようにした工夫が、例えば特許文献１や特許文献２に示されている。
【０００３】
また、キャリーバッグには、バッグ本体がハードケース仕様ばかりでなくソフトケース仕様のものもある。このようにバッグ本体がソフトケース仕様であるときに収納物によってバッグ本体の形状が保てなくなる。そのため、バッグ本体の形状の崩れを防ぐことを目的として、さらには小物やビニール袋などを掛け止めることができるようにすることを目的として、ハンドルの下部にフックを設けておき、これにソフトケース仕様のバッグ本体を引っ掛けて型崩れを防止したり、前記フックに小物やビニール袋などを掛けることができるようにした工夫も、例えば特許文献３に示されている。
【０００４】
掛け止めることのできる爪状部材を組み付ける技術としては例えば特許文献４に示されている。そしてそのような爪状部材を備える可搬型のバッグなどとしては、上述の伸縮可能なステーを介してハンドルを上げ下げできるものではないが、引き起こした引き手を掴んで引き回しできるスーツケースにハンドバッグを掛け止めることができるように、そのスーツケースの上部に起伏する爪状部材を備えるようにした技術が例えば特許文献５に示されている。
【先行技術文献】
【特許文献】
【０００５】
【特許文献１】再公表特許第２００２／０６７７１９号公報
【特許文献２】米国特許第５６３０２５０号明細書
【特許文献３】実用新案登録第３１６２９１９号公報
【特許文献４】実開昭５０−０５１８３３号公報
【特許文献５】独国特許第４２２１２１５号公開公報
【考案の概要】
【考案が解決しようとする課題】
【０００６】
特許文献３で示されているキャリーバッグでの上述したハンドル下にフックを設けておく工夫については、ハンドルがステーを介して引き出しできるハードケース仕様の一般的なキャリーバッグにおいても利用できる。例えば、このキャリーバッグを携行していて人と待ち合わせするなどのような場合、キャリーバッグを立て置いて、ハンドルを引き出した状態のままとしておくことがよく行なわれている。そして、引き出したハンドルの高さ位置もロック機構によって変化しないことから、前述したようにハンドルの下にフックがあれば、他に携行していた小物、ビニール袋、傘などをハンドル下に吊り下げておくことで、一時的であっても手持ちする小物類がなくなるため、便利になるかと考えられる。
【０００７】
しかしながら、ハンドル下にフックを吊り下げる構造とした場合、ハンドルをバッグ本体側に降ろしたときに、フックが位置する部分が邪魔となってハンドルのバッグ本体に対する収まりが悪くなり、ハンドルをバッグ本体の外観を損なわない位置に収め置けなくなるという不具合が生じる。
【０００８】
また、特許文献５で示されている爪状部材をスーツケース本体の上面側に起伏可能に配する技術では、傘等の長尺な物品を掛け止めることができない。そして、特許文献４に示されている掛け止め部材では、取付相手の断面形状に応じて各種のものを予め作製しておく必要があり、横断面形状が豊富なハンドルに応じるように各種の掛け止め部材を作製することは現実的ではない。
【０００９】
さらに特許文献２については、ロック操作に伴なって移動するロッドとの干渉を回避する構造を示すに止まっているものであって、掛け止め物を掛けた際に適切にそのズレ止めを行なう技術が示されているものではない。
【００１０】
そこで本考案は、キャリーバッグのハンドルに掛け止めた小物などがずり落ちないようにするとともに、ハンドルを下げたときにもバッグ本体側に適正に収めることができるようにすることを課題とし、キャリーバッグハンドルの利用勝手を向上させることを目的とするものである。
【課題を解決するための手段】
【００１１】
本考案は上記課題を考慮してなされたもので、キャリーバッグハンドルの上面形状に応じて変形可能な取付板に、該取付板をキャリーバッグハンドルの上面に取り付ける取付手段を有するとともに、前記取付板の上面には上方に凸の係止手段が設けられていて、前記取付手段によるキャリーバッグハンドルへの取付により、ハンドルへの掛け止め物のズレ止めを可能にするキャリーバッグハンドル用のストッパーであって、
前記取付板には、係止手段側に向けて取付板上面からの上端位置が漸次高くなる隆起部が設けられていて、隆起部は、係止手段に対して連続、または不連続とされていることを特徴とするキャリーバッグハンドル用ストッパーを提供して、上記課題を解消するものである。
【００１２】
そして、本考案において上記取付手段は接着剤とされて、この接着剤からなる取付手段が取付板下面に設けられていることが可能である。
【００１３】
また、本考案において上記取付手段は、取付板におけるハンドル長さ方向に沿う両側部それぞれに設けられた面ファスナであり、キャリーバッグハンドルに巻き付けた面ファスナの重ね合わせ部分が相互に離接可能としていることが可能である。
【００１４】
また、本考案において上記取付手段は、取付板におけるハンドル長さ方向に沿う一方の側部に設けられた係止ボスのある係止体と、取付板のもう一方の側部に設けられた複数の孔を有するベルトとからなり、キャリーバッグハンドルに巻き付けた前記ベルトの孔が前記係止体の係止ボスに係脱可能に係止するものとすることが可能である。
【考案の効果】
【００１５】
本考案によれば、キャリーバッグハンドルの上面に本ストッパーを取り付けることで、カバンのベルト部分やレジ袋の手掛け部分、そして傘の柄などの手提げ物品の手掛け部分をハンドルの上側から掛けた際の不用意なズレ落ちを防止することができるようになる。そして、これら手提げ物品を外したハンドルを降ろす場合でも、ハンドルの上面にストッパーが位置していることから、ハンドルをバッグ本体側に格納部分に適正に収め置くことができて、キャリーバッグの主体であるバッグ本体の外観を大きく損なうことがない。
【００１６】
また、本考案では、係止手段側に向けて高さが徐々に高くなる隆起部を有している。そのため、斜面や曲面となって下がる形状を呈したハンドル端部に係止手段を位置させた場合でも、隆起部の存在によって係止手段の周りの落ち込みが軽減され、掛け止めする物品の重量を係止手段だけでなくその係止手段周りでも適正に支えることができるという優れた効果を奏する。
【００１７】
さらに、本考案では、取付板の下面に接着剤を設けて、その接着剤を介してキャリーバッグハンドルの上面に取り付けたり、取付板の両側部（取付板をキャリーバッグハンドルの長手に合わせて配した際のハンドル長手方向に沿った側部）それぞれに設けられた面ファスナをキャリーバッグハンドルに掛かるように廻し、その面ファスナ同士を重ね合わせて連結させたり、そして、取付板の一方の端部（取付板をキャリーバッグハンドルの長手に合わせて配した際のハンドル長手方向に沿った側部の内の一方）にあるベルトをキャリーバッグハンドルに掛かるように廻し、そのベルトを、他方の端部（取付板をキャリーバッグハンドルの長手に合わせて配した際のハンドル長手方向に沿った側部の内の他方）にある係止体に係止させたりすることで、取付板をキャリーバッグハンドルの上面に沿わせることが簡単になる。
【図面の簡単な説明】
【００１８】
【図１】本考案に係る実施例のストッパーを取り付けたハンドルを引き上げた状態を示す説明図である。
【図２】ストッパーの取付状態を示す説明図である。
【図３】ストッパーの一例を斜視で示す説明図である。
【図４】ストッパーの一例を上方から見た状態で示す説明図である。
【図５】ストッパーの一例を側方から見た状態で示す説明図である。
【図６】ストッパーの一例を他の側方から見た状態（ａ）と取付状態を同方向で見た状態（ｂ）で示す説明図である。
【図７】取付手段の他の例を備えるストッパーを示す説明図である。
【図８】同じく取付手段の他の例を備えるストッパーを示す説明図である。
【図９】ストッパーの他の実施の例を斜視で示す説明図である。
【図１０】同じく他の実施の例を上方から見た状態で示す説明図である。
【図１１】同じく他の実施の例を側方から見た状態で示す説明図である。
【図１２】同じく他の実施の例を他の側方から見た状態で示す説明図である。
【考案を実施するための形態】
【００１９】
つぎに本考案を図１から図１２に示す実施の形態に基づいて詳細に説明する。
図中１はキャリーバッグで、該キャリーバッグ１は、キャスター２を有するバッグ本体３の前記キャスター２を下部としてバッグ本体３を立てたときのそのキャスター２側とは反対側となる部分に、バッグ本体３内から伸ばし出すことができる一対の伸縮可能なステー４を介してハンドル５が取り付けられていて、バッグ本体３を立てた状態でのバッグ本体３の高さ方向において、前記ハンドル５を降ろした際のバッグ本体３側での位置から前記一対のステー４を伸長してバッグ本体３の上方位置までハンドル５を上げ下げできるものである。そして、ハンドル５の引き出し高さ位置は、図示していないロック機構によりハンドル５を降ろした状態とステー４を最大に伸長させた状態でロックされたり、任意の高さ位置でロックしたりできるように設けられているものである。
【００２０】
そして、図示されているように上記ハンドル５の両端それぞれに、バッグ本体の高さ方向の上方、即ち、ステー４の伸縮方向であってハンドル５を上げ下げする方向に沿った方向での上方に向けて盛り上がりのあるストッパー６がズレ止め部材として取り付けられている。図示の例では、前記ストッパー６の取付位置は、ハンドル５での手掛け範囲から外れているハンドル端部であって、ステー４とハンドル５との連結部位の上位置となる部分である。
【００２１】
このように、バッグ本体３から引き上げて位置決めできるハンドル５の両端にストッパー６を取り付けることで、このキャリーバッグ１を立て置いてハンドル５を引き上げておけば、バッグのベルトや傘の柄などの掛け止め物をハンドルの上方から掛けて、それらがハンドル５の端部側にズレた場合でもストッパー６が受け止めてズレ落ちを防止することができる。そして、ストッパー６の位置がステー４の上位置であるため、ストッパー６に係止して支持された物品の荷重はステー４で容易に支持でき、ハンドル５を撓ませるなどの不具合も生じない。さらに上述したように、ストッパー６がハンドルの上面に位置しているため、このハンドル５をバッグ本体に降ろしてもこのストッパー６全体がハンドル下とバッグ本体との間に位置することはなく、バッグ本体からハンドル部分が大きく突出してバッグ本体の外観を損なうという不具合も生じない。
【００２２】
本考案の上記ストッパー６は、図３から図６に示すようにハンドル５の上面に取り付けることで上方に凸となる係止手段６０と、この係止手段６０を上面端部に一体として備えている取付板６１と、取付手段６２とを備えてなるものである。前記取付手段６２は、取付板６１の下面に塗布した接着剤６２ａからなるものであり、取付に際してこの取付手段６２を介してストッパー6がハンドル５に接着固定できるものとなっている。ストッパー６が未使用のときには図示しない剥離紙によって前記接着剤６２ａが覆われていて保護されている。なお、両面接着テープを利用して前記接着剤が形成されるようにすることも可能である。
【００２３】
ストッパー６の成形材料は特に限定されるものではないが、前記取付板６１は、各種形状となっているハンドル５の上面形状の違いを吸収できるように柔軟性を有するものである。さらに、この実施の例では、係止手段６０と取付板６１とが一体となって同一の素材より成形されているものであって、前記取付手段６２を介してハンドル５の上面に取り付けた際、取付板６１だけでなくストッパー６全体が、ハンドルの上面形状に応じた変形が可能とされているものである。勿論、ストッパー６の成形に際し、係止手段６０と取付板６１とが同一の素材であることに限定されるものではない。即ち、ストッパーの部位に応じて硬さや強度などの特性が変わるようにするために異なる素材の組み合わせを採用するものとも可能である。
【００２４】
上述した実施の例の略柱状とした係止手段６０は取付板６１の幅寸法に比較して細身とされ、取付板６１の上面端部においてその取付板６１の幅方向での中央部分に配置されている。そして、上述したように取付板６１は変形可能な柔軟性を有しているものであることから、この実施の例では図６（ｂ）に示すようにハンドル５のストッパー取付位置の上面形状が横断面方向で曲面を呈する形状のものであっても、取付板６１がそのハンドル上面形状に応じて変形して取り付けでき、係止手段６０自体は上方に向けて起立する状態を維持できる点で有用である。さらにこの実施の例では、取付板６１の上面の略中央から係止手段６０側に向けて上端位置が徐々に高くなる隆起部６３が設けられており、係止手段６０の基部と一体となって連続している。このように端部に位置する係止手段６０に向けて徐々に高くなる隆起部６３を備えているので、図示のごとく斜面や曲面となって下方に傾斜しているハンドル端部に係止手段６０が対応するように取り付けても、その係止手段６０周りの下方への落ち込みの度合いが少なくなり、掛け止めする物品の荷重を係止手段６０だけで支持せずに係止手段６０の周りの隆起部６３でも支持できるようにしている。
【００２５】
さらに上記ストッパー６の取付板６１の上面の一部分と隆起部６３の上面とには凹溝６４を複数列にして設けて上面を凹凸状にしており、摩擦抵抗を高めて傘やハンドバッグなどの掛け止め物をストッパー６に掛けた際にその掛け止め部分が不用意に移動しないように設けられているものである。ハンドル５にはその長さに長短各種のものがあり、さらにこのハンドル５の中央上部にロック操作ボタンが位置しているタイプのものも存在しており、ハンドル５の上面にこのストッパー６を配するにあたって使用者自身が取付板６１の長さを調節する必要が生じる可能性があるが、取付板６１上の前記凹溝６４の位置は厚みが薄いため、この凹溝６４は使用者が切断し易い場所を示すガイドにもなっている。このように複数の凹溝６４は掛け止め物に対する摩擦抵抗を高める役割と使用者が取付板を切断し易くする役割とを兼ね備えており、頗る有用である。さらに、凹溝６４の配設位置やパターンなどは限定されないものである。例えば、凹溝６４を取付板の長手方向に沿って配設すれば、取付板の幅方向での柔軟性を一層向上させる役割を更に付加させることができる。即ち、凹溝６４は摩擦抵抗を高めてズレ止めの効果をより一層良好にするとともに、切断位置を示し易くし、更なる柔軟性を付与できるので頗る有用である。
【００２６】
上記ストッパー６において取付手段６２を取付板６１の下面に施した接着剤からなるものとして説明したが、本考案はこの実施の形態に限定されるものではない。この取付手段６２は、ハンドル５の端部においてハンドル５の上面にある取付板６１が、ハンドル５の長手方向の上面形状に応じて、またハンドル５の横断面方向での上面形状に応じて変形して配置され、その状態が維持されるものであればよい。
【００２７】
他の例として、図７に示すように取付板６１におけるハンドル長さ方向に沿う両側部それぞれに設けられた面ファスナ６２ｂから構成してもよく、この例の場合、面ファスナ６２ｂそれぞれをハンドル５に掛かるようにして巻き込み、面ファスナ６２ａの重ね合わせ部分が相互に離接可能としている構造である。このため、ストッパー６の取り付け、取り外しが簡便になるという効果がある。
【００２８】
さらに他の例として、図８に示すように、取付板６１におけるハンドル長さ方向に沿う一方の側部に、係止ボス６２ｃが立つ係止体６２ｄを設けるとともに、取付板６１の対向するもう一方の側部に複数の孔６２ｅを有するベルト６２ｆを設けて、これらから取付手段６２が構成されるようにすることも可能である。この例の取付手段６２では、ハンドル５に掛かるようにして巻いたベルト６２ｆの孔６２ｅを、係止体６２ｄの係止ボス６２ｃに係脱可能に係止させるものであり、この形態でもやはりストッパー６の取り付け、取り外しが簡便になるという効果がある。
【００２９】
上記実施の形態において隆起部６３は、係止手段６０の基部に一体にして連続するものとして示されているが、ハンドル端部の下り傾斜による係止手段６０の周りの落ち込み度合いを軽減するためのものであるため、前記隆起部６３自体は係止手段６０と一体になるように連続している必要はない。図９から図１２に示すように隆起部６３を、複数の凸部を不連続に並べ設けて、その凸部の上端位置が係止手段６０側に向けて徐々に高くなるようにして、隆起部６３を形成することが可能である。そして、特に隆起部６３を分割し、かつ係止手段６０に対しても不連続とすることで、隆起部６３でのハンドル長手方向での曲がりがより良好になるという効果がある。
【００３０】
ハンドルに上述のストッパーを取り付けることは、そのストッパー自体の素材選択の自由度や形状の自由度が高いことから、ハンドルに良好なズレ止め効果を簡単に付与でき、頗る有用である。
【符号の説明】
【００３１】
１…キャリーバッグ
２…キャスター
３…バッグ本体
４…ステー
５…ハンドル
６…ストッパー
６０…係止手段
６１…取付板
６２…取付手段
６２ａ…接着剤
６２ｂ…面ファスナ
６２ｃ…係止ボス
６２ｄ…係止体
６２ｅ…孔
６２ｆ…ベルト
６３…隆起部
６４…凹溝
【図１】
0003175345.tif 000003
【図２】
0003175345.tif 000004
【図３】
0003175345.tif 000005
【図４】
0003175345.tif 000006
【図５】
0003175345.tif 000007
【図６】
0003175345.tif 000008
【図７】
0003175345.tif 000009
【図８】
0003175345.tif 000010
【図９】
0003175345.tif 000011
【図１０】
0003175345.tif 000012
【図１１】
0003175345.tif 000013
【図１２】
0003175345.tif 000014